(57)【要約】【課題】物件検索を希望する利用者の選択肢を拡げた物件検索が可能な物件検索装置等を提供する。【解決手段】情報提供サーバＳＶは、物件についての複数の条件を、物件の検索に用いられる検索条件とするか、物件情報を提示する際の提示態様の制御に用いられる提示態様制御条件とするか、又はいずれの条件としても用いないか、のいずれとするかを端末装置Ｔにおいて選択させ、その選択結果を、条件ごとに端末装置Ｔから取得する。情報提供サーバＳＶは、取得された選択結果において選択されている検索条件を満たす物件を検索し、その検索された物件を示す物件情報を、提示態様制御条件に対応した提示態様で端末装置Ｔにおいて提示させる。【選択図】図１
2020057075.tif 000002
【特許請求の範囲】
【請求項１】
物件の仕様を表す物件情報の内、変更が希望される変更条件について、必須条件及び要望条件及び／又は不要条件の取得と、
前記変更条件に基づいた物件検索用の検索条件の生成と、
前記検索条件を満たす物件の検索と、
前記検索の結果である物件の一覧の生成と、
を行うシステム制御部を備えることを特徴とする物件検索装置。
【請求項２】
前記変更条件は、検索の基準とする基準物件の現況を示す情報である基準仕様を構成する情報の内、変更対象となる条件を意味し、
前記システム制御部は、前記基準仕様の取得を更に行い、
前記システム制御部は、前記変更条件と前記基準仕様とに基づいた前記検索条件の生成を行うことを特徴とする請求項１に記載の物件検索装置。
【請求項３】
前記変更条件は、前記基準仕様にはない新たな希望を意味することを特徴とする請求項１または請求項２に記載の物件検索装置。
【請求項４】
住所及び／又は物件名に対応付けた基準仕様を記録した物件情報データベースを備え、
前記システム制御部は、前記物件情報データベースを参照して、所定の住所及び／又は物件名に対応する基準仕様を取得することを特徴とする請求項１から請求項３のいずれか一項に記載の物件検索装置。
【請求項５】
変更条件の候補を記録した変更条件候補データベースを備え、
前記システム制御部は、前記変更条件候補データベースに記録された変更条件から検索に利用する変更条件を取得することを特徴とする請求項１から請求項４のいずれか一項に記載の物件検索装置。
【請求項６】
物件の仕様を表す物件情報の内、変更が希望される変更条件について、必須条件及び要望条件及び／又は不要条件を取得するステップと、
前記変更条件に基づいた物件検索用の検索条件を生成するステップと、
前記検索条件を満たす物件を検索するステップと、
前記検索の結果である物件の一覧を生成するステップと、
を含むことを特徴とする物件検索方法。
【請求項７】
前記変更条件は、検索の基準とする基準物件の現況を示す情報である基準仕様を構成する情報の内、変更対象となる条件を意味し、
前記基準仕様を取得するステップを更に含み、
前記検索条件を生成するステップでは、前記変更条件と前記基準仕様とに基づいた前記検索条件の生成を行うことを特徴とする請求項６に記載の物件検索方法。
【請求項８】
前記変更条件は、前記基準仕様には無い新たな希望を意味することを特徴とする請求項６または請求項７に記載の物件検索方法。
【請求項９】
住所及び／又は物件名に対応付けた基準仕様を記録した物件情報データベースを参照して、所定の住所及び／又は物件名に対応する基準仕様を取得するステップを更に含むことを特徴とする請求項７または請求項８に記載の物件検索方法。
【請求項１０】
変更条件の候補を記録した変更条件候補データベースに記録された変更条件から検索に利用する変更条件を取得するステップを更に含むことを特徴とする請求項７から請求項９のいずれか一項に記載の物件検索方法。
【請求項１１】
物件検索装置に含まれるコンピュータに、
物件の仕様を表す物件情報の内、変更が希望される変更条件について、必須条件及び要望条件及び／又は不要条件を取得するステップと、
前記変更条件に基づいた物件検索用の検索条件を生成するステップと、
前記検索条件を満たす物件を検索するステップと、
前記検索の結果である物件の一覧を生成するステップと、
を実行させることを特徴とする物件検索プログラム。
【発明の詳細な説明】
【技術分野】
【０００１】
本発明は、物件を検索する物件検索装置等の技術分野に属する。
【背景技術】
【０００２】
現在活用されている不動産の物件情報サイトでは、物件の仕様である「広さ」、「間取り構成」、「賃料」、「最寄り駅」及び「角部屋であること」などを検索条件として入力することで、物件情報サイトのユーザが、所望する物件を検索することが可能とされている。このような物件情報サイトに関する従来の技術を開示している文献として、下記特許文献１が挙げられる。特許文献１に記載されている従来技術では、ユーザが設定した検索条件を満たす空室物件の情報が提示される。
【先行技術文献】
【特許文献】
【０００３】
【特許文献１】特開２０１８−１２０５２９号公報
【発明の概要】
【発明が解決しようとする課題】
【０００４】
特許文献１に開示された従来技術においては、ユーザが所望する物件を検索する場合に、物件の仕様を絞りこむための検索条件を一つずつ設定することが必要とされる。検索条件は、見つけ出したい物件の仕様として必要な場合は設定され、不要な場合は設定されないという扱いになる。検索条件の設定は、必須ではないが望ましい条件についても、とりあえず「必要」に設定される傾向があるため、結果、検索条件が増えることになり、物件情報が必要以上に絞り込まれる、即ち手にする情報が少なくなるという状況が発生する。また逆に、手に入れる物件情報を増やすために「必要」に設定する数を減らすと、物件情報は増えるが、仕様を構成する条件が少ない物件情報が増えるという課題が見られた。
【０００５】
本発明は、検索条件の設定を行う際、物件情報が必要以上に絞り込まれたり増えたりしないように調整し、適切な量の物件情報を抽出できる仕組みを提供する。
【課題を解決するための手段】
【０００６】
本発明は、物件の仕様の変更が希望される変更条件について、必須条件及び要望条件及び／又は不要条件を特定し、変更条件に基づいて物件検索用の検索条件を生成し、検索条件を満たす物件を検索して特定することを特徴とする。
【図面の簡単な説明】
【０００７】
【図１】データベースに接続された情報提供サーバと、ネットワークと、端末装置と、からなる、本実施形態の物件検索システムの概要構成の一例を示す図である。
【図２】（ａ）は、本実施形態の物件情報データベースに登録されている情報の一例を示す図である。（ｂ）は、本実施形態の変更条件候補データベースに登録されている情報の一例を示す図である。（ｃ）は、本実施形態のこだわり条件候補データベースに登録されている情報の一例を示す図である。
【図３】本実施形態の物件検索処理を示すフローチャートの一例を示す図である。
【図４】（ａ）は、本実施形態の条件設定ページの変更条件入力画面の一例を示す図である。（ｂ）及び（ｃ）は、本実施形態の条件設定ページの入力画面の一例をそれぞれ示す図である。（ｄ）は、本実施形態の表示画面の一例を示す図である。
【図５】（ａ）及び（ｃ）は、本実施形態の物件一覧表示画面の一例を示す図である。（ｂ）は、本実施形態の条件設定ページのこだわり条件入力画面の一例を示す図である。
【発明を実施するための形態】
【０００８】
次に、図１乃至図５を参照して、本発明の一実施形態について説明する。以下に説明する実施形態は、物件を検索し、検索された物件を示す物件情報を提示する物件検索システムに対して、本発明を適用した場合の実施形態である。本実施形態の物件は、例えば、建物及び土地などの不動産物件である。なお、本発明に係る「こだわり条件」の処理は、段落００３０以降において詳細に説明する。
【０００９】
本実施形態の物件情報の提示のため、データベースＤＢには、物件毎に、物件情報、即ち住所、名称、仕様（築年数、広さ、間取り、付帯設備などをいう。詳細は後述される。）が、例えば後述する物件情報データベース２０として格納されている。これらの情報は、インターネット上を検索して収集した情報に代替することもできる。物件情報検索システムおいては、端末装置Ｔを使用するユーザが物件の検索を開始する場合に、ユーザの操作に応じて、条件設定ページの送信要求が、ネットワークＮＷを介して、端末装置Ｔから情報提供サーバＳＶに送信される。条件設定ページは、ユーザが物件を検索する際の検索条件を設定するためのページである。端末装置Ｔは、例えば、パーソナルコンピュータ、スマートフォン及びタブレット型端末である。ネットワークＮＷは、例えばインターネットである。送信要求を受信した情報提供サーバＳＶのシステム制御部は、端末装置Ｔに対して、変更条件の候補を提示する。変更条件の候補とは、ユーザが新たな物件に期待する変更条件の候補であり、「広く」、「安く」、「新しく」、「駅に近く」、「階数を高く」、「階数を低く」及び「静かに」など、基準となる物件（例えば、ユーザが現在居住中の物件）の仕様からの変更を希望する条件を特定するための情報である。
【００１０】
ここで、「仕様（「スペック」ともいう）」は、物件の特徴を示す情報である。仕様は、種別（戸建、マンション、アパート）、賃料、販売価格、築年数、間取り、広さ、開口方向、オートロック、管理人常駐、ユニットバスなどの種々の条件を表す情報からなる。変更条件は、基準となる物件の仕様の内、変化が求められる条件を満たした新たな物件、即ち仕様の差分を満たした物件を特定するための条件である。また、ユーザが現在居住中の物件の仕様を、以下「現況」と称する。
【００１１】
図２（ａ）、（ｂ）、（ｃ）に示すように、データベースＤＢには、変更条件候補データベース１０と物件情報データベース２０とこだわり条件候補データベース３０を備える。
【００１２】
変更条件候補データベース１０には、変更条件の候補が、その候補同士を識別する候補ＩＤに対応付けられて登録されている。変更条件は、現況の条件の改善に相当する条件の他に、現況の条件には含まれない新たな条件、例えば「オートロックにしたい」及び「管理人常駐」等の条件を設定することができる。
【００１３】
物件情報データベース２０には、即入居可能な空物件及び近々入居可能な空予定物件に関する物件情報が設定されるが、入居可能時期が未定である入居済物件に関する物件情報を保有することもできる。個々の物件に対応して、物件ＩＤと物件情報が対応付けられている。この物件情報には、物件種別（マンション、アパート、一戸建）、物件名、所在地、賃料、間取り、広さ、築年数、階数及び物件の特徴を示すフリーコメント等の物件検索に有益な情報が設定されている。
【００１４】
こだわり条件候補データベース３０には、こだわり条件の候補となる情報が、条件ＩＤに対応付けられて登録されている。こだわり条件候補は、「一階の物件」、「二階以上」、「最上階」、「角部屋」等の条件が設定される。これらの候補は、新しい物件を検索するユーザが、変更条件よりもより具体的な条件として希望する物件の条件の候補である。
【００１５】
図３のフローチャートを参照して、本発明に係る動作を説明する。情報提供サーバＳＶのシステム制御部は、端末装置Ｔから条件設定ページの送信要求を受信すると、変更条件候補データベース１０から変更条件を読み出し、端末装置Ｔに読み出し結果を送信する。端末装置Ｔは受信した変更条件を表示し、ユーザに提示する（ステップＳ１）。変更条件の候補を受信した端末装置Ｔは、図４（ａ）に例示されるように、受信した変更条件の候補を、候補表示４０として、端末装置Ｔの表示部に表示する。
【００１６】
ステップＳ１においてシステム制御部は、仕様を変更して物件を検索したい旨の要求を送信したユーザの検索履歴に基づいて、送信される変更条件の候補が選択されてもよい。また、ユーザの検索履歴に基づいた変更条件の候補が、送信する変更条件の候補に追加されてもよい。変更条件の候補の提示に当たり、システム制御部は、「引越をしたい理由は？」というような問いかけの文言を併せて提示してもよい。更に、変更条件として、例えば、変更条件としての項目自体に加えて、変更の程度を併せて提示してもよい。このような変更条件の提示により、システム制御部は、ユーザによる選択を促すことができる。
【００１７】
ユーザは、候補表示４０を見ながら所望される変更条件を選択する。システム制御部は、その選択結果を、ネットワークＮＷを介して、情報提供サーバＳＶに送信する。システム制御部は、送信されてきた変更条件の選択結果を取得する（ステップＳ２）。
【００１８】
システム制御部は、送信されてきた変更条件の選択結果を取得したら、基準となる物件情報を確定する処理を行う。変更条件の選択結果を送信した端末装置Ｔを使用するユーザが現在居住中の物件に対応する物件情報を取得する（ステップＳ３）。仮想物件でもよい。物件情報は、物件に関する住所、名称及び仕様から構成される。
【００１９】
ステップＳ３において、システム制御部は、現在居住する物件の名称又は住所の少なくともいずれか一方を入力する入力欄を含む条件設定ページを端末装置Ｔに送信する。この入力欄４１は、図４（ｂ）に例示するように、条件設定ページの一部として、端末装置Ｔにて表示される。そして、入力欄４１を用いて入力された、例えば物件の名称及び住所を示す情報は、端末装置Ｔにより情報提供サーバＳＶに送信される。これにより、システム制御部は、送信されてきた情報を用いて、受信した名称及び住所に該当する物件を物件情報データベース２０から検索する。基準となる物件情報は、物件に関する住所、名称及び仕様から構成される。なお、基準となる物件情報は、必ずしも現在居住中の物件に対応させる必要はなく、実在する他の物件又はユーザが物件情報を作成する仮想物件でもよく、仮想物件の住所や名称については、住所や名称に代わる仮想の識別情報を設定することができる。
【００２０】
ここで、基準となる物件がマンションの一室であって、マンションの名称及び／又は住所（部屋番号含む）が入力欄４１を用いて入力されると、システム制御部は、入力された名称及び／又は住所に対応する物件情報を、物件情報データベース２０を参照して検索する。システム制御部は、検索の結果ヒットした物件情報を含む条件設定ページを端末装置Ｔに送信する。この物件情報は、端末装置Ｔにおいて、図４（ｃ）のように物件表示４２として表示される。図４（ｃ）に例示されるように、階数や部屋番号の指定が無いことを理由として複数の物件が該当した場合は、物件表示４２上で特定の物件が選択されることにより、選択された旨の情報が、情報提供サーバＳＶに送信される。システム制御部は、受信した選択結果に基づき、物件情報データベース２０又は物件表示４２に対応するキャッシュ情報を参照して、対応する物件情報を取得する。
【００２１】
その後、システム制御部は、取得した物件情報を、端末装置Ｔに送信する。この物件情報は、図４（ｄ）に例示されるように、物件表示４３として、端末装置Ｔに表示される。なお、物件情報を送信する際に、システム制御部は、図４（ｄ）に例示するように、新たな物件の検索対象となるエリアを指定する際に操作されるエリア選択項目のデータを併せて送信する。また、システム制御部は、ステップＳ２で送信されてきた変更条件の選択結果と、ステップＳ３で取得された基準となる物件情報と、に基づいた新たな物件の検索を指示する際に操作される検索結果要求ボタン５０のデータを、条件設定ページの一部として併せて送信する。
【００２２】
これらにより、図４（ｄ）に例示する物件表示４３及び検索結果要求ボタン５０等が表示されている端末装置Ｔのユーザは、変更条件の選択結果（ステップＳ２参照）と、基準となる物件情報（ステップＳ３参照）と、に基づいて新たに物件を検索したい場合、先ず、図４（ｄ）に例示されるエリア選択項目のいずれかを選択して、検索エリアを設定する。端末装置Ｔは、基準となる物件や端末装置ＴのＧＰＳ機能により取得した地理情報に対応する検索エリアと基本として設定するが、エリアを選び直すこともできる。その後、検索結果要求ボタン５０が操作される。これにより、端末装置Ｔは、変更条件の選択結果と、基準となる物件（即ち、現在居住中の物件）を示す物件情報と、に基づいた新たな物件の検索要求を情報提供サーバＳＶに送信する。即ち、物件に対するユーザのニーズが変更条件の選択として反映された新たな物件検索の要求が、情報提供サーバＳＶに送信される。
【００２３】
図３に戻って、検索結果要求ボタン５０の操作に対応した新たな物件検索の要求を取得したシステム制御部は、変更条件の選択結果と基準となる物件情報に基づいて、物件情報データベース２０内を検索する。すなわち、システム制御部は、基準となる物件情報に対して変更条件の選択結果を満たす検索条件を生成する（ステップＳ４）。なお、変更条件が複数個選択されている場合、システム制御部は、基準となる物件情報に対して複数の変更条件のそれぞれを満たす検索条件を生成する。この場合に、システム制御部は、変更条件が複数ある場合でも、その変更条件に反映されているユーザの希望（ニーズ）をより満たした物件を示す物件情報を抽出することができる。システム制御部は、生成した検索条件を用いて、物件情報データベース２０内を検索する（ステップＳ５）。システム制御部は、ステップＳ５の検索結果として、基準となる物件の仕様に対して変更条件を満たす物件に対応する物件情報を取得する。例えば、現況の部屋の広さが７０平方メートル、賃料が２０万円で、変更条件として「広く」、「安く」が設定された場合、システム制御部は、広さ７０平方メートルを超える広さで、賃料が２０万円未満であって、且つその他の仕様については現況以上の物件を検索する。
【００２４】
次いで、システム制御部は、例えば、選択された変更条件が満たされる度合いが高いほど、例えばより広く、より安い物件が上位に並べられるようにして、取得された物件情報により示される物件の表示順をソートする（ステップＳ６）。例えば、システム制御部は、変更条件が３件存在する場合、全ての条件を満たす物件を上位に、２件の条件を満たす物件を次に、最後に１件の条件を満たす物件を配置する。また、システム制御部は、各条件についても、適合度の高い物件を上位に配置することができる。例えば、システム制御部は、「広く」という条件の場合、基準の仕様との差が大きい（広い）物件を上位に配置し、徐々に差が小さい物件が並ぶように配置することができる。
【００２５】
「安く」という変更条件が選択されている場合であって、仕様としての家賃が一万円安い物件と五万円安い物件とが検索されている場合、システム制御部は、家賃が五万円安い物件が一万円安い物件よりも上位となるようにして、端末装置Ｔにおける表示順をソートする。システム制御部は、その表示順がソートされた物件情報を含む物件一覧を含む物件情報掲載ページを、変更条件の選択結果と、基準となる物件を示す物件情報と、に基づいた新たな物件の検索要求を送信してきた端末装置Ｔに送信する（ステップＳ７）。このとき送信される物件情報掲載ページの一例は、図５（ａ）に示される。変更条件の個々について重視する序列を設定することにより、例えば変更条件が２項目の場合、検索結果である物件名を二次元マップ上にプロットすることにより、ユーザは、視覚的に第一条件広さ、第二条件安さの適合度合いを把握することができる。
【００２６】
以上のステップＳ１乃至ステップＳ７の物件検索処理によれば、基準となる物件の仕様、例えばユーザが現在居住している物件の仕様と、変更条件と、に基づいた検索条件を満たす物件が、検索されて提示される。よって、ユーザは、希望する新たな物件を特定するための仕様を種々入力する操作の煩わしさや負担を軽減しつつ、希望に沿った物件に関する検索結果を閲覧することができる。
【００２７】
また、ステップＳ１及びステップＳ２によれば、システム制御部は、変更条件の候補（条件の項目及び変更の程度）からユーザにより選択された変更条件を取得する。よって、システム制御部は、ユーザにおける操作の煩わしさを軽減しつつ、その希望に沿った物件を検索して提示することができる。
【００２８】
なお、変更条件が、基準となる物件の仕様からの変更が希望される物件の条件である場合、又は、基準となる物件の仕様の中に含まれていない物件の条件である場合、のいずれでも、システム制御部は、ユーザにおける操作の煩わしさを軽減しつつ、その希望に沿った物件を検索して提示することができる。
【００２９】
また、ステップＳ３によれば、現在居住中の物件を特定するための住所等の情報が、基準となる物件情報として端末装置Ｔから取得される。そして、その情報に基づいて、居住中の物件の仕様が、物件情報データベース２０から取得される。よって、ユーザには住所等の最低限の情報を入力させるのみで、システム制御部は、検索の基準となる仕様を取得することができる。なお、何れか一方のみの入力を行う場合は、同名称の物件又は同一住所に複数の物件が存在した場合、複数の物件が抽出されるが、ユーザに何れかの物件の選択を促すことにより、基準となる物件、即ち仕様を特定することができる。
【００３０】
ステップＳ７において、システム制御部は、図５（ａ）に例示されるように、物件情報掲載ページを送信する際に、本実施に係るこだわり条件を設定する処理を行う。具体的には、システム制御部は、物件を検索するか否かを指示する際に操作される条件変更ボタン５１のデータを、条件設定ページの一部として携帯端末Ｔに送信する。
【００３１】
ここで、「こだわり条件」とは、新たな物件の仕様として、必須条件、望ましい条件、不要条件、といったようにユーザが実現の程度を段階的に設定するための情報である。こだわり条件が設定されない場合には、検索結果の物件一覧としてユーザの希望を満たす物件が少ない場合及び全く該当物件が無い場合の他に、検索された物件の数が多すぎる場合もある。こだわり条件として、ユーザが「必ず手に入れる」ことを希望する条件を「必須条件」と称する。この必須条件は、物件の再検索の際に用いることができる。また、ユーザが、必須ではないが「可能ならば手に入れる」ことを希望する条件を「要望条件」と称する。この要望条件は、物件情報をユーザに提示する際の提示態様の制御に用いられる。さらに、こだわり条件として、ユーザが「手に入れない」ことを希望する条件を「不要条件」と称する。この不要条件の扱いは、再検索時に、不要条件を備える物件を抽出しない、という処理を原則とするが、「要望条件」と同等に扱い、提示態様の制御の際に、「不要条件」に該当する仕様を持つ物件の表示順位を最下位にグルーピングすることができる。表示順位については、「必須条件」に合致する物件を最上位グループに表示し、次いで「要望条件」に合致する物件を中位グループに、そして最後に「不要条件」に該当する物件を最下位グループに表示することができる。システム制御部は、「必須条件」と基準物件の仕様との関係は、この仕様に含まれる条件について設定された場合は「必須で残す」という処理を行い、この仕様に含まれない条件について設定された場合は「新たに必須で加える」という処理を行う。同様に、「要望条件」については、前者の場合「条件を可能な限り残す」、後者の場合「新たに可能な限り確保する」という処理を行う。同様に、「不要条件」については、前者の場合「条件を取り除く」、後者の場合「条件に入れない」という処理を行う。
【００３２】
図５（ａ）に例示されるように、物件情報掲載ページを受信した端末装置Ｔは、受信した物件一覧を含む物件情報掲載ページを、条件変更ボタン５１と共に、端末装置Ｔの表示部に表示する。これらによりユーザは、こだわり条件を用いて新たな物件を検索したい場合、図５（ａ）に例示される条件変更ボタン５１を操作する。これにより、端末装置Ｔは、ユーザがこだわり条件を用いて新たに物件を検索したい旨の要求を、情報提供サーバＳＶに送信する。
【００３３】
一方、ステップＳ７において物件一覧を含む物件情報掲載ページを送信したシステム制御部は、こだわり条件を用いた新たな物件の検索要求の端末装置Ｔからの送信を監視する（ステップＳ８）。ステップＳ８の監視において、例えば予め設定された時間内に新たな物件の検索要求が送信されてこない場合（ステップＳ８：ＮＯ）、システム制御部は、後述するステップＳ１４に移行する。ステップＳ８の監視において、こだわり条件を用いた新たな物件の検索要求が送信されてきた場合（ステップＳ８：ＹＥＳ）、システム制御部は、こだわり条件候補データベース３０を検索する。
【００３４】
こだわり条件を用いた新たな物件の検索要求が送信された場合（ステップＳ８：ＹＥＳ）、システム制御部は、検索されたこだわり条件の候補を含むこだわり条件の設定画面のデータを条件設定ページの一部として端末装置Ｔに送信する（ステップＳ９）。こだわり条件の設定画面は、例えば図５（ｂ）に示す設定画面である。この設定画面は、こだわり条件の候補のそれぞれについて、それを必須条件とするか、それを要望条件とするか、又はそれをいずれの条件としても「設定しない」か、のいずれかが選択可能とされた候補表示４４を含んでいる。
【００３５】
なお、候補表示４４において、新たな物件の検索要求を送信してきた端末装置Ｔを使用するユーザに係る物件の現況に相当する条件が、必須条件として予め設定されていてもよい。候補表示４４において、要望条件が複数の段階に分けられていてもよい。要望条件が複数の段階に分けられている場合は、システム制御部は、その選択結果を、端末装置Ｔにおける表示順のソートに用いることができる。また、候補表示４４において、「角部屋」や「南向き」といった肯定的な条件は、必須条件として予め設定されていてもよい。更に、候補表示４４において、統計的な調査結果等に基づき、九割程度のユーザが過去に選択した条件が必須条件として予め設定され、例えば七割程度のユーザが過去に選択した条件が要望条件として予め設定され、例えば五割程度のユーザが過去に選択した条件が「設定しない」条件として予め設定されていてもよい。この割合の程度は適宜増減することができ、例えば、七割のユーザが選択した条件は必須条件、五割のユーザが選択した条件は要望条件、二割のユーザが選択した条件は不要条件、というような設定を行うこともできる。
【００３６】
候補表示４４を含む設定画面のデータを受信した端末装置Ｔは、その候補表示４４を含む設定画面を端末装置Ｔの表示部に表示する。ユーザは、候補表示４４内の各候補について、それぞれ、必須条件とするか、要望条件とするか、「設定しない」か、のいずれかを、例えばドラッグ操作により選択する。「設定しない」として選択される候補には、それまで必須条件又は要望条件として選択されていた候補が、それらの選択から除外される場合が含まれる。必須条件又は要望条件から除外された候補は、ユーザが所望しなくなった（即ち手放したい）物件の条件であることになる。候補表示４４を含む設定画面が表示されている端末装置Ｔは、こだわり条件の選択結果を情報提供サーバＳＶに送信する。システム制御部は、送信されてきたこだわり条件の選択結果を取得する（ステップＳ１０）。
【００３７】
次いで、システム制御部は、こだわり条件の選択結果を受信すると、こだわり条件のうち必須条件として選択された条件と、ステップＳ１で取得された基準となる物件情報と、ステップＳ４で物件検索に用いられた変更条件と、に基づいて、物件情報データベース２０内を検索する。
【００３８】
具体的に、システム制御部は、基準となる物件の条件に対して変更条件の選択結果及び必須条件を満たす検索条件を、新たに生成する（ステップＳ１１）。システム制御部は、新たに生成した検索条件を用いて、物件情報データベース２０内を検索する（ステップＳ１２）。システム制御部は、ステップＳ１２の検索結果として、基準となる物件の条件に対して変更条件及び必須条件を満たす物件を示す物件情報を、物件情報データベース２０から取得する。次いで、システム制御部は、ステップＳ１２の物件検索において満たされた要望条件の数が多い物件ほど上位に表示されるようにして、取得された物件情報により示される物件の、端末装置Ｔにおける表示順をソートし、新たな物件一覧を生成する（ステップＳ１３）。これにより、要望条件に対応した提示態様での物件情報の提示が可能となる。ステップＳ１３の結果として生成される物件一覧は、例えば、図５（ｃ）に示す物件一覧となる。
【００３９】
これに加えて、システム制御部は、図５（ｃ）に例示するように、ユーザにより要望条件として選択されたこだわり条件のうち、ステップＳ１２の物件検索により検索された物件において満たされなかった条件を、物件ごとに、例えば消去線を伴って表示するように、検索結果欄４５を生成して物件一覧に含ませる。更に、検索結果欄４５では、ユーザにより要望条件として選択されたこだわり条件のうち、ステップＳ１２の物件検索により検索された物件において満たされた条件の数が、物件ごとに認識可能に表示される。
【００４０】
例えば、図５（ｂ）に例示される候補表示４４において、必須条件として選択された候補が１個あり、要望条件として選択された候補が合計１３個あり、そのうちステップＳ１２の物件検索により検索された物件において満たされなかった要望条件が７個あるとする。この場合、図５（ｃ）に示す検索結果欄４５では、「条件」欄として、「７／１４個」と表示される。この分数の分子は、物件一覧として表示されている物件において満たされている必須条件の数と要望条件の数の合計を意味する。上述の例の場合、物件一覧として表示されている物件において満たされている必須条件の数は１であり、要望条件の数は６である。また、分数の分母は、図５（ｂ）に例示される候補表示４４において選択された必須条件の数と要望条件の数の合計を意味する。上述の例の場合、その合計は「１４」である。更に、図５（ｃ）に示すこだわり条件検索結果欄４５では、ステップＳ１２の物件検索により検索された物件において満たされなかった要望条件が、「バストイレ別」、「独立洗面台」、「ペット相談可」、「インターネット無料」、「リフォーム」、「リノベーション」及び「特優賃（特定優良賃貸住宅）」の７個であることが表示されている。これら７個の要望条件は、消去線と共に表示されている。この検索結果欄４５の表示により、要望条件に対応した提示態様での物件情報を提示が行われる。
【００４１】
以上のステップＳ９乃至ステップＳ１３による物件検索によれば、物件についての複数の条件を、物件検索用の必須条件とするか、物件情報のソート用の要望条件とするか、又はいずれの条件としても用いないか、が選択された後、その選択結果に基づいて物件が検索されて、その物件情報が提示される。よって、システム制御部は、物件情報の提示を希望するユーザの選択肢を拡げた物件検索により物件情報を提示することができる。
【００４２】
また、その物件検索の結果を含む物件一覧の表示においては、選択された要望条件が満たされる数が多い物件ほど、優先してその物件情報が表示される。よって、システム制御部は、ユーザの要望に合致した物件を優先的に提示させることができる。
【００４３】
更に、選択された要望条件が満たされる数が多い物件ほど、上位に並べられて表示される。よって、システム制御部は、ユーザの要望により合致した物件を、優先的に且つ認識し易く提示させることができる。
【００４４】
更にまた、物件一覧に含まれて提示される物件において要望条件が満たされているか否かを識別するための情報が、物件一覧に含まれて提示される。よって、ユーザは、選択した要望条件のいずれか満たされている物件であるかを、容易に認識することができる。
【００４５】
また、満たされていない要望条件と、満たされている要望条件の数を認識可能な情報と、が、物件一覧に含まれて提示される。よって、ユーザは、選択した要望条件のいずれか満たされているかを、具体的に認識することができる。
【００４６】
ステップＳ１３で新たな物件一覧が生成されたら、システム制御部は、ステップＳ７に移行する。ステップＳ７において、システム制御部は、ステップＳ１３で生成された物件一覧を含む物件情報掲載ページを、こだわり条件を用いた新たな物件の検索要求を送信してきたユーザが使用する端末装置Ｔに送信する。その後、システム制御部は、上述したステップＳ８以降の処理を繰り返す。
【００４７】
一方、ステップＳ８の監視において、新たな物件の検索要求が送信されてこない場合（ステップＳ８：ＮＯ）、システム制御部は、物件一覧を含む物件情報掲載ページが表示された端末装置Ｔにおいて選択された物件を示す情報の送信を監視する（ステップＳ１４）。この場合に選択された物件は、そのユーザが所望する物件である。ステップＳ１４の監視において、例えば予め設定された時間内に選択された物件を示す情報が送信されてこない場合（ステップＳ１４：ＮＯ）、システム制御部は、後述するステップＳ１６に移行する。
【００４８】
なお、物件一覧は、入居者を募集中及び募集予定の物件情報から構成されるが、募集予定の無い物件情報が物件一覧に含まれてもよい。システム制御部は、ユーザが募集予定の無い物件情報を選択（即ち予約）した場合、該当する物件に対して、ユーザ情報と予約情報を付記し、募集予定が決まり次第、ユーザに対して電子メール等により検討依頼案内を送ることができる。このような機能により、ユーザは、気に入った物件が空くのを待つことができる。
【００４９】
他方、ステップＳ１４の監視において、選択された物件を示す情報が送信されてきた場合（ステップＳ１４：ＹＥＳ）、システム制御部は、その物件の契約処理等の予め設定された関連処理を行う（ステップＳ１５）。
【００５０】
その後、システム制御部は、例えば端末装置Ｔにおいてユーザにより終了操作が実行された等の理由により、本実施形態の物件検索処理を終了するか否かを判定する（ステップＳ１６）。ステップＳ１６の判定において、本実施形態の物件検索処理を終了しない場合（ステップＳ１６：ＮＯ）、システム制御部は、ステップＳ１に戻って上述した処理を繰り返す。一方、ステップＳ１６の判定において、本実施形態の物件検索処理を終了する場合（ステップＳ１６：ＹＥＳ）、システム制御部は、そのまま本実施形態の物件検索処理を終了する。
【００５１】
本実施形態の変形例として、図３に示すステップＳ１乃至ステップＳ７を経ずに、初めにこだわり条件を用いた物件の検索が行われてもよい。この場合に、ユーザは、より具体的なこだわり条件を用いた物件の検索ができる。
【００５２】
また、システム制御部は、本実施形態による要望条件を用いた物件の表示順の制御に代えて、要望条件が満たされる数が多い物件ほど、端末装置Ｔにおける表示（例えば、文字、画像）の大きさを大きくしたり、文字の色を目立つ色にしたり、表示される物件情報の項目数を多くしたりするように提示態様を制御してもよい。この場合でも、システム制御部は、ユーザの意向により合致した物件を、優先的に且つ認識し易く提示させることができる。
【００５３】
更に、システム制御部は、変更条件の提示（図３ステップＳ１参照）及びその選択結果の取得（図３ステップＳ２）より前に、基準となる物件情報を取得（図３ステップＳ３参照）してもよい。すなわち、ステップＳ３、Ｓ１、Ｓ２の順番で処理することができる。この場合にシステム制御部は、基準となる物件の仕様をユーザに提示し、どの条件をどうするのか、といった選択画面を提示することができ、ユーザは、変更すべき条件、不要な条件、足りない条件を容易に把握できるという効果が得られる。システム制御部は、変更すべき又は不要な条件の設定を支援するため、条件の一覧とどのように変更するのか条件毎に、例えば「広く」、「安く」、「新しく」「不要」などの選択肢を用意する。システム制御部は、足りない条件、即ち新たに獲得したい条件の設定を支援するため、データベースＤＢに登録された物件情報データベース２０から、基準となる物件の仕様には無い条件、例えば「オートロック」、「管理人常駐」、「パーティールーム」、「プール」などの条件一覧を抽出し、端末装置Ｔに提示する。
【００５４】
更にまた、図３に示すフローチャートに相当するプログラムを、光ディスク又はハードディスク等の記録媒体に記録しておき、或いは、インターネット等のネットワークから取得して記録しておき、これらを汎用のマイクロコンピュータで読み出して実行することにより、その処理中にネットワークにアクセスすることなく、当該マイクロコンピュータを本実施形態のシステム制御部を機能させることも可能である。
【符号の説明】
【００５５】
１０    変更条件候補データベース
２０    物件情報データベース
３０    こだわり条件候補データベース
４０    入力欄
４１、４２    物件表示
４３、４４    候補表示
４５    検索結果欄
５０、５１    条件変更ボタン
Ｓ    物件検索システム
Ｔ    端末装置
ＳＶ    情報提供サーバ
【図１】
2020057075.tif 000003
【図２】
2020057075.tif 000004
【図３】
2020057075.tif 000005
【図４】
2020057075.tif 000006
【図５】
2020057075.tif 000007